(57)【要約】      （修正有）【課題】電流容量の大きな小型モータプロテクタの提供。【解決手段】モータプロテクタは、略カップ形状の金属製のハウジング１２を含み、ハウジングは、頂壁１２ａと、頂壁の周囲から下方に延在する側壁１２ｂによって形成され、側壁の自由端は、ヘッダー１４に溶接される。側壁と頂壁は丸められた接合を有し、較正リル１２ｅが頂壁においてハウジングの一方の端部から丸められた接合を介して形成される。サーモスタットディスク１６は、ディスクの中心部においてリング形状の皿型にへこむ変形される領域を有する。ディスクの第１の端部は、平らな底壁の内面に搭載され、較正リッジ１２ｈがディスクの変形される領域に整合される。可動電気接点２０がディスクの他方の端部に搭載され、ヒータ２６上に搭載されることになる固定電気接点３４と係合および非係合するように移動する。【選択図】図９
2007305586.tif 000002
【特許請求の範囲】
【請求項１】
単相モータプロテクタであって、
長手方向の軸に沿って、第１の端部から対向する第２の端部まで延在され、閉じた頂壁、および頂壁の周辺部から延在する自由端を有し丸められた接合を形成する側壁を有する略カップ形状の金属製のハウジングであって、複数の壁は、スイッチチャンバーを形成し、較正リルは、頂壁に形成され、かつ長手方向の軸に沿って丸められた接合を介して第１の端部から較正リッジまで延在する堅い平坦な底面を有し、溶接突起がハウジングの第１の端部と較正リッジの中間の較正リルに形成されスイッチチャンバー内に延び、全体として堅い平らな底面が、当該堅い平らな面が横たわる第１の面の角度を変化させるように変形可能である、ハウジングと、
長手方向の軸に沿って配置された第１および第２の端部を有する細長いサーモスタットディスクであって、ディスクの第１の端部が溶接突起で較正リルに溶接され、かつ概して第１の面と平行な面に横たわり、ディスクは、ディスクの中心部にリング形状の変形を有し、変形は、選択された温度変化に応答して対向する皿型形状間で移動可能であり、可動電気接点はディスクの第２の端部に搭載され、ディスクは、較正リッジがリング形状の変形に整合されるように長手方向の軸に沿って位置決めされる、ディスクと、
ハウジングの側壁の自由端に接続され密閉してそこに取り付けられる電気的導電性のヘッダープレートであって、端子ピンがヘッダープレートの開口を介してスイッチチャンバー内に延在し、端子ピンが電気的絶縁材料によってヘッダープレートから電気的に絶縁された、ヘッダープレートと、
端子ピンに接続された電気的導電性のヒータであって、固定電気接点がヒータに搭載され、可動電気接点が固定電気接点に係合および非係合するように移動される、ヒータと、
を有するモータプロテクタ。
【請求項２】
リング形状の変形は中心を有し、較正リッジは、ハウジングの第１の端部の方向にリング形状の変形の中心から選択された距離だけオフセットされる、請求項１に記載の単相モータプロテクタ。
【請求項３】
電気的および熱的に絶縁材料の層が較正リルとサーモスタットディスクの変形される中心部との間に介在される、請求項１に記載の単相モータプロテクタ。
【請求項４】
ヒータは、端子ピンに取り付けられた第１の端部を有し、ヒータは、ヘッダープレートが横たわる第２の面に概して平行な第１のセグメントに延在し、ヒータの第２のセグメントは、第１のセグメントの端部でヘッダーに向けて折り曲げられ、第２の面に概して平行に延在するように曲げられた大３のセグメントまで続き、固定接点が第３のセグメントに搭載される、請求項１に記載の単相モータプロテクタ。
【請求項５】
単相モータプロテクタはさらに、ヒータとヘッダープレート間に挿入された電気的絶縁プレートを含み、絶縁プレートは端子ピンの周囲の電気的絶縁材料上に延在する、請求項４に記載の単相モータプロテクタ。
【請求項６】
端子ピンの周囲の絶縁材料は、ガラスから構成され、絶縁プレートはセラミックから構成される、請求項５に記載の単相モータプロテクタ。
【請求項７】
絶縁プレートは、全ての横方向においてヒータを越えて延在する、請求項６に記載の単相モータプロテクタ。
【請求項８】
較正リルは、平らな底面の堅さを増強するため、比較的狭く、平らな底面の対向する２つ端から延在する側壁で形成される、請求項１に記載の単相モータプロテクタ。
【請求項９】
プロテクタは、選択された圧力で選択された熱伝達特性を提供するように、選択された雰囲気に充填される、請求項１に記載の単相モータプロテクタ。
【請求項１０】
単相モータプロテクタであって、
長手方向の軸に沿って、第１の端部から対向する第２の端部まで延在され、閉じた頂壁、および頂壁の周辺部から延在する自由端を有し丸められた接合を形成する側壁を有する略カップ形状の金属製のハウジングであって、複数の壁は、スイッチチャンバーを形成し、較正リルは、頂壁に形成され長手方向の軸に沿って第１の端部から較正リッジまで延在し、較正リルの底壁は、第１の面に横たわる堅い平らな底面を形成し、溶接突起が較正リルに形成されスイッチチャンバー内に延びる、ハウジングと、
第１および第２の端部を有し長手方向の軸に沿って配置された細長いサーモスタットディスクであって、ディスクの第１の端部が第１の面に平行な面に概して横たわる較正リルに溶接突起で溶接され、ディスクが中央部においてリング形状の皿型構造に形成され、ディスクが選択された温度変化に応答して対向する皿型構造の間を可動し、可動電気接点がディスクの第２の端部に搭載される、ディスクと、
ハウジングの側壁の自由端に接続され密閉して取り付けられ第２の面に横たわる電気的導電性のヘッダープレートであって、端子ピンがヘッダープレートの開口を介してスイッチチャンバー内に延在し、端子ピンが電気的絶縁材料によってヘッダープレートから電気的に絶縁される、ヘッダープレートと、
端子ピンに固定された第１の端部を有し第２の面に略平行な第１のセグメントに延在する電気的導電性のヒータであって、ヒータの第２のセグメントが第１のセグメントの端部でヘッダーに向けて曲がり第２の面に略平行に延在するように曲げられた第３のセグメントに続き、固定電気接点が第３のセグメントに搭載され、可動電気接点が固定電気接点に係合および非係合するよに移動される、ヒータと、
ヘッダープレート上に配置されヒータとヘッダープレート間に挿入される電気的絶縁プレートであって、絶縁プレートは端子ピンの周りの電気的絶縁材料を覆う、絶縁プレートと、
を有するモータプロテクタ。
【請求項１１】
モータプロテクタはさらに、ハウジングの較正リルとサーモスタットディスクの間に介在された電気的および熱的絶縁材料の層を含む、請求項１０に記載のモータプロテクタ。
【請求項１２】
絶縁材料の層はカプトンコンパウンドである請求項１１に記載のモータプロテクタ。
【請求項１３】
端子ピンの周りの電気的絶縁材料はガラスであり、くぼみが絶縁プレートに形成され端子ピンの周りのガラスに整合しかつ直面する、請求項１０に記載のモータプロテクタ。
【請求項１４】
第１の端部から対向する第２の端部まで長手方向の軸に沿って延在され、閉じた頂壁および頂壁の周囲から延在する自由端を有する側壁を有する略カップ形状の金属ハウジングを有する単相モータプロテクタの方法であって、
長手方向に延在する側壁を有する頂壁に形成され、当該側壁が平坦な底面まで下方に延在して平坦な底面を堅くする較正リルを形成するステップであって、較正リルは、ハウジングの第１の端部から長手方向の軸に沿って較正リッジまで延在しており、
第１および第２の端部を有する細長いサーモスタットディスクを用意するステップと、
ディスクの第１の端部を較正リルに搭載するステップであって、ディスクは較正リッジに近接して配置されたリング形状の変形をその中央部に有し、ディスクは、選択された温度変化に応答して対向する皿型にへこむ変形構造の間を移動可能であり、可動電気接点がリング形状の変形を超えてディスクの第２の端部に搭載され固定電気接点に係合および非係合するように移動可能であり、
ハウジングの第１の端部について平坦な面を回転する較正リルの全体の平坦な底面を変形することで、リング形状の変形に対して較正リッジを調節し、これによりディスクの性能を調節する、方法。
【請求項１５】
頂壁および側壁は、その間に丸められた接合を有し、較正リルはハウジングの第１の端部で丸められた接合を介して延在する、請求項１４に記載の方法。
【請求項１６】
較正リルの平坦な壁は、較正リッジを含む局所的な領域においてハウジングに下方に荷重を与えることにより回転される、請求項１４に記載の方法。
【請求項１７】
リング形状の変形は、選択された動作特性を有し、ディスクに搭載された電気接点は、ディスクの特性に悪影響を与えることなくモータプロテクタの電流容量を増加するように拡大される、請求項１４に記載の方法。
【発明の詳細な説明】
【技術分野】
【０００１】
本発明は、概して熱応動電気スイッチに関し、特に、空調設備や冷凍の圧縮機内で使用される小型の単相密閉型モータプロテクタのスイッチに関する。
【背景技術】
【０００２】
ディスクの加熱および冷却によって選択された温度の変化に応答して引き起こされるサーモスタットディスクの電気的な接点を移動させ、静止した電気的な接点に係合させたり、係合を解除させることで、電気回路の開閉をする熱応動スイッチが提供されることが知れている。このようなスイッチは、空調装置や冷凍システムの密閉された圧縮機ハウジング内に置かれ、過熱や過電流の状態からモータやシステムの構成部品を保護する。このタイプの熱応動スイッチの例は、特許文献１に示されており、これは、完全に加工または整形されたサーモスタットディスクの第１の端部がヒータに溶接されたスラッグにより取り付けられた単一ピンのプロテクタを開示する。可動接点がディスクの対向する第２の端部に搭載され、可動接点は、スイッチ空間内に延在する単一ピン上に搭載された静止接点に接触し、非接触するように移動する。装置は、ディスクの第１の端部に抗してハウジングの表面を変形させることによって較正される。完全に整形されたディスクを有するこの種のプロテクタの限界は、スラッグの正面でディスクに生じるストレスの失敗(stress failure)によりサイクル寿命が制限されてしまうことである。さらに、整形されたディスクのオペレーショナル上の特性、例えば、温度設定の悪影響を最小限にするため、このような装置では、可動接点のサイズが制限され、これにより、プロテクタの電流能力または電流容量が制限されてしまう。
【０００３】
このタイプの熱応動スイッチの他の例が特許文献２に開示されている。特許文献１は、２つの端子ピンを有する装置を開示し、１つのピンは、電気抵抗ヒータおよびドーム形状のハウジングに接続され、もう１つのピンは、固定接点に接続されている。卵形または矩形状の、完全に整形された熱応動スナップアクション素子は、金属支持プレートに溶接された一端を有し、この金属支持プレートは金属ハウジングに溶接され、スナップアクション素子の他端は、そこに溶接された接点を有し、静止接点に接触しまたはそこから離れるように移動することができる。上記した特許文献１と同様に、ディスクは、ディスクの固定された端部の位置でハウジングを変形することによって較正される。
【０００４】
【特許文献１】米国特許３，９５９，７６２
【特許文献２】米国特許５，０１５，９８５
【発明の開示】
【発明が解決しようとする課題】
【０００５】
本発明の目的は、サイズが小さな容器でありながら電流容量と期待寿命の増加を有するモータプロテクタを提供することである。さらに本発明の目的は、特にライン電圧変動を受ける、空調設備や冷凍システムのモータプロテクタとして有用な熱応動スイッチを提供することである。さらに本発明の目的は、上記した従来の制限を克服するモータプロテクタを提供することである。
【課題を解決するための手段】
【０００６】
簡潔に説明すると、本発明の好ましい実施例によれば、モータプロテクタは、中央部において皿型にへこむリング形状の変形を有し、かつモータプロテクタの金属ハウジングの頂壁に形成された較正リルに端部が搭載されたサーモスタットディスクを有し、スナップアクションを提供する。較正リッジは、較正リルの長手方向の端部に形成され、リング形状の変形に整合される。較正リルは、丸められた表面を介して延在し、比較的狭い、剛性の平らな底面まで下方に延在する傾斜した壁を有する。ディスクの反対の端部に搭載された可動電気接点は、固定電気接点に接触しまたは非接触するよう移動可能である。プロテクタは、金属プレートのように形成されたヘッダーを有し、ヘッダーは、好ましくはガラスのような電気的絶縁材料によってヘッダーから電気的に絶縁された端子ピンを受容するよう画定された開口を有する。ヒータは、スイッチチャンバー内の端子ピンに固定された第１のセグメントを有し、ヒータは、ディスクの皿型にへこむリング形状の変形領域に略整合された、ヘッダーが横たわる面に略平行な方向に延在し、ヘッダーに向けて曲げられた第２のセグメントに続き、ヘッダーが横たわる面に略平行な方向に延在するように曲げ戻された第３のセグメントまで延びる。セラミック絶縁プレートは、スイッチチャンバー内のヘッダープレートの表面に取り付けられ、ヒータとヘッダーの間に介在される。固定電気接点は、ヒータの第３のセグメントに搭載され、セラミック絶縁プレート上に平らに着座する。プロテクタは、スイッチチャンバー内の選択されたガス混合および圧力の状態でハウジングの自由端をヘッダーに溶接することによって密閉封止される。
【０００７】
モータプロテクタは、接点が係合（接触）された位置にあり、ディスクの搭載を回転的に旋回し、較正リルの長手方向の端部でディスクの変形される部分にそむいてディスクのリング形状の皿型にへこむ部分上に配置された較正リッジを移動する較正リルの剛性な平らな底面を変形することによって較正される。本発明の特徴によれば、電気的および熱的に絶縁する層が較正リルとディスクの変形される部分の間に位置決めされることで、ディスクのリング形状の皿型にへこむ部分を保護し、ディスクのオフ時間を延長する。
【０００８】
モータプロテクタ（１０）は、細長い略カップ形状の金属製のハウジング（１２）を含み、ハウジング（１２）は、頂壁（１２ａ）と、頂壁の周囲から下方に延在する側壁（１２ｂ）によって形成され、側壁の自由端は、ヘッダー（１４）に溶接される。側壁と頂壁は丸められた接合（１２ｃ）を有し、較正リル（１２ｅ）が頂壁においてハウジングの一方の端部から丸められた接合を介して形成される。較正リルは、剛性のある平らな底壁（１２ｍ）に形成され、ハウジングの２つの細長い端部の中間の較正リッジ（１２ｈ）まで延在する。細長いサーモスタットディスク（１６）は、ディスクの中心部においてリング形状の皿型にへこむ変形される領域（１６ａ）を有する。ディスクの第１の端部は、平らな底壁（１２ｍ）の内面に搭載され、較正リッジ（１２ｈ）がディスクの変形される領域に整合される。可動電気接点（２０）がディスクの他方の端部に搭載され、ヒータ（２６）上に搭載されることになる固定電気接点（３４）と係合および非係合するように移動する。ヒータは、その一方の端部（２６ａ）を端子ピン（２８）に第１のセグメント（２６ｃ）で取り付けられ、ヒータは第２のセグメント（２６ｄ）でディスクから離れるように下方に段差を有し、固定接点が搭載される第３のセグメント（２６ｅ）を有する。セラミック絶縁プレート（３２）がヒータとヘッダーの間に介在される。
【発明を実施するための最良の形態】
【０００９】
図１は、本発明の好ましい実施例により成された密閉型の単相モータプロテクタ１０を示し、プロテクタ１０は、図２−図４に示されたサーモスタットディスク１６とハウジング１２に搭載された関連する構成部品からなる第１のメインアッセンブリと、図５−８に示されたヘッダー１４、絶縁板３２、ヒータ２６およびサーマルピン２８からなる第２のメインアッセンブリとを有する。
【００１０】
図２−図４の参照により、第１のメインアッセンブリのハウジング１２は、適切な電気的導電性のある金属から構成され、例えば、鋼が細長いカップ形状に引き出される。ハウジング１２は、頂壁１２ａと、頂壁１２ａの周辺から下方に延在しかつ丸められた接合１２ｃによって頂壁１２ａに結合された側壁１２ｂとを有し、これらの壁はスイッチチャンバー１２ｄを形成する。ハウジング１２は、好ましくは、耐食性のために被覆されている。
【００１１】
頂壁１２ａにスタンピングによってチャンネル形状の較正リル（calibration rill）１２ｅが形成され、較正リルは、ハウジングの長手方向の軸２に沿ってハウジングの端部からハウジングの端部１２ｆと１２ｇの中間の較正リッジ(calibration ridge)１２ｈまで延在する。較正リル１２ｅは、ハウジングの側面１２ｆの丸められた接合１２ｃに形成され、平坦な底壁１２ｍに角度をもって傾斜する側壁１２ｋを有する。底壁１２ｍは、概して壁１２ｍの狭い幅および特に角度を付けられた側壁により剛性がありまたは堅い。溶接突起１２ｎは、長手方向の軸に沿って概して側面１２ｆと較正リッジ１２ｈの中途の較正リルに形成され、ここで説明されるサーモスタットディスク１６を溶接するためにスイッチチャンバー内に下方に延在する。
【００１２】
バイメタルのような適切な材料からなる細長い温度自動調節のディスク１６は、例えば、鋼のような適切な材料からなる溶接スラッグ１８を一方の端部１６ｂに有し、さらに、ディスク１６の同じ面側の対向する端部１６ｃに搭載された、例えば銀合金表面のような電気的導電性の高い面を有する可動電気接点２０を有する。ディスク１６は、頂壁１２ａの内側に沿って配置され、端部１６ｂは、溶接スラッグ１８と較正リル１２ｅでディスクをサンドイッチする１２ｐで較正リルの溶接突起１２ｎに溶接され、これにより、ディスクは、較正リル１２ｅの平らな底壁１２ｍが横たわる面に該して平行な面に横たわることになる。頂壁１２ａは下方に延在するディンプル（窪み）１２ｔを形成することができ、これは、ディスクを確実に停止する役割を担う。図４に示すように、選択されたクリアランス１２ｒがディスク１６と正面側および裏側の側壁１２との間に提供される。
【００１３】
リング形状の皿状の変形１６ａは、概してサーモスタットディスク１６の中心に形成され、変形されない対向する端部１６ｂ、１６ｃをそのままにして、選択された温度状態に応答して対向する皿形構造の位置の間でスナップアクションを与える。
【００１４】
電気的および好ましくは熱的に絶縁材料の例えばカプトンのような層２２が、ディスクの変形される部分まで沿って好ましくは幾分だけ較正リッジ１２ｈを超えて、較正リル１２ｅの内側の表面に配置される。絶縁層２２は、アッセンブリの溶接中、ハウジング１２を変形される部分１６ａから電気的に絶縁することで、ディスクの温度設定に変化を生じ得るディスクの変形される領域の悪影響を抑制する。さらに、層２２は、モータプロテクタの動作中、ディスク１６の変形される領域をハウジング１２から熱的に絶縁し、これにより、アプリケーションにおいてプロテクタがあまりに速くサイクルしないようにプロテクタのオフ時間を長くすることができる。
【００１５】
ディスクの適切な到達する距離および電気接点間の適切な近接したスナップギャップを提供するプロテクタにおいて、ディスク性能を最適化するため、較正リッジ１２ｈは、リング変形１６ａに整合され、好ましくは、リング変形１６ａの中心の幾分手前でオフセットされる。このようなディスクの機能の最適化は、プロテクタの寿命を延ばす。
【００１６】
第２のメインアッセンブリは、図５ないし図８に示すように、適切な材料、例えば鋼からなる板からなり、銅芯の端子ピン２８を受け取る開口１４ａが形成されたヘッダー１４を含む。端子ピン２８は、電気的に絶縁材料、例えば封止ガラスの環３０によってヘッダー１４から電気的に絶縁される。平坦な電気的絶縁プレート３２は、好ましくはセラミック材からなり、ヘッダー１４上に配置され、適切なエポキシでそこに取り付けられる。絶縁プレート３２には、開口３２ａが形成され、開口３２ａを介して端子ピン２８が突出する。ヘッダー１４には、絶縁プレート３２の底面に形成されたガイド窪み３２ｂを受容するためガイド突出部１４ｂが形成され得る。絶縁プレートの開口３２ａは、好ましくは、図９の３２ｃで示すように、絶縁プレート３２がヘッダーの表面に平らに横たわりガラス環３０のメニスカスを許容するように、ヘッダー１４に受け取られた端子２８の周囲のプレート表面まで拡張される。
【００１７】
ヒータ２６は、モータプロテクタが使用される特定のアプリケーションの基準で選定される種々の材料の選択から構成される。ヒータ２６は、位置特徴(location feature)として機能するピン環境適合構造２６ｂが形成された第１の端部２６ａを有する。ヒータ２６は、第１の端部２６ａから、ヘッダー１４が横たわる面に概して平行な面に横たわる方向の第１のセグメント２６ｃに沿って、ヘッダー１４に向けて延びるように曲げられた第２のセグメント２６ｄに続き、ヘッダー１４が横たわる面と概して平行な面に延びるように曲げられた第３のセグメント２６ｅまで延在する。適切な電気接点、例えば銀ベースの合金接点３４が第３のセグメント２６ｅ上に搭載される。これは、図９に示すように、段差のある形状に溶接されることで、接点３４が絶縁プレート３２の表面に平らに置かれるようにし、他方、セグメント２６ｃをディスク１６に対して近接した最適な放射熱伝達に維持する。段差の上がった部分である第１のセグメント２６ｃは、アプリケーションに応じて、放射熱の量に影響を及ぼすように種々の寸法に仕立てることができる。ヒータの第１の端部２６ａは、セラミック絶縁プレート３２を越えて突出する端子ピン２８の側面に溶接され、第３のセグメント２６ｅの接点が絶縁プレート上に平らに着座する。
【００１８】
もし望むならば、ヘッダー１４は、方向性を持つ外形に加工することができ、組立性および操作性が容易になる。例えば、図１に示すように、概してヘッダーのコーナー１４ｂを四角にすることにより行う。
【００１９】
図９ないし図１１を参照すると、ハウジング１２は、その側壁１２ｂが好ましくは自由端１２ｓで広げられ、溶接が容易にされる。ハウジング１２は、コンタクト２０、３４が一致するようにヘッダープレート１４上に置かれる。アッセンブリは、ガラス環３０とともにスイッチチャンバー１２ｆ内に密閉封止を形成するハウジングの周辺に溶接される。スイッチチャンバー内の雰囲気は、モータプロテクタの性能を最適化するためガス混合および圧力の両者が制御される。
【００２０】
モータプロテクタ１０は、較正リル１２ｅを回転的に偏向または歪ませることにより特定の動作温度に較正される。例えば、図１の破線４で示すように、ハウジングをプローブで較正リルの長手方向の端部で変形することにより行う。これは、平らな底壁１２ｍが横たわる角度を変化させ、次いで、ディスクアッセンブリ、すなわち、ディスクの搭載は、較正リル１２ｅの堅い平らな底壁１２ｍの変形を介して、堅い平らな底壁１２ｍが横たわる面の角度が変化するように、平らな壁が、ハウジングの端部１２ｆで丸められた部分１２ｃに関して回転する。所望のプロテクタの機能を提供するため、平坦１２ｍの全体の長さが、壁１２ｍの平坦さを変化させることなく、回転的に変形されることに留意すべきである。較正は、破線４に沿ってハウジングに係合するプローブでハウジングを変形することによって、かつ較正リッジ１２ｈを含む局所的な領域の較正リル１２ｅの長手方向の端部でハウジングを変形することによってもたらされる。
【００２１】
本発明によって提供される効果の中で、単一ピンの構成は、２つのピンの構成に比べて、全体をより小さな装置サイズにすることを可能にする。リング形状のディスクは、絶縁層２２を介してディスクのリング形状の変形される領域１６ａに力を与える較正リッジ１２ｈが本発明において使用されるように、ディスクへの減少されたストレスによりサイクル寿命を増加させる効果を有する。なぜならば、較正は、スラッグについての軸ではなくディスクの中心で生じるためである。リング形状により、ディスクの変形される領域の温度設定に悪影響を及ぼすことなく、より大きな電気接点を変形されないディスクの端部に搭載することが可能であり、これにより、小さな装置の容器内で電流容量の増加を実現する。このタイプのディスクおよび較正方法はまた、寿命中に優れた温度安定性を提供する。ヒータおよびディスク形状は、ディスクが電気的にヒータおよび端子ピンに接続された従来技術の装置と比較して、低い電流でのより早いトリップ時間を可能にする。より低い電流でのより速いトリップ時間は、特に、ライン電圧変動のためより低い電流での保護を必要とするアプリケーションにとって特に効果的である。
【００２２】
モータプロテクタの特に好ましい実施例が発明の例示でもって詳述されてきたが、構造の変形は、本発明の範囲内において成し得るものである。本発明は、特許請求の範囲に含まれる全ての変形および実施例の均等物を含む。
【図面の簡単な説明】
【００２３】
添付する図面は、明細書に含まれかつその一部を構成し、詳細な説明とともに本発明の好ましい例を示し、本発明の目的、効果および原理を説明するために役立つものである。ある部分の寸法は、明細書で言及された例示および説明の目的のために変更され得るものであり、請求の範囲は、示された図面を参照する。
【図１】本発明の好ましい実施例より成された単相モータプロテクタの斜視図である。
【図２】図１のプロテクタのハウジングとサーモスタットディスクおよびそこに搭載された関連する構成部品とを有するプロテクタの第１のメインアッセンブリの底面図である。
【図３】図２の３−３線の断面図である。
【図４】図２の４−４線の断面図である。
【図５】ヘッダー、セラミック絶縁プレート、ヒータ、固定電気接点およびサーマルピンを含む第２のメインアッセンブリを見下ろす斜視図である。
【図６】図５のアッセンブリの正面図である。
【図７】図６の構造の平面図である。
【図８】図６の８−８線断面図である。
【図９】切り取られた部分の断面を有する図１のモータプロテクタの正面図である。
【図１０】図１のモータプロテクタの平面図である。
【図１１】図９のモータプロテクタの直角方向から見た電気接点に沿った断面図である。
【図１】
2007305586.tif 000003
【図２】
2007305586.tif 000004
【図３】
2007305586.tif 000005
【図４】
2007305586.tif 000006
【図５】
2007305586.tif 000007
【図６】
2007305586.tif 000008
【図７】
2007305586.tif 000009
【図８】
2007305586.tif 000010
【図９】
2007305586.tif 000011
【図１０】
2007305586.tif 000012
【図１１】
2007305586.tif 000013